(57)【特許請求の範囲】
【請求項１】
流体回路の一部を構成する一方の管体に接続されるプラグと、該プラグに対し連結および連結解除可能に設けられるとともに前記流体回路の一部を構成する他方の管体に切替バルブを介して接続されるソケットとを備え、前記ソケットが、前記切替バルブを介して前記他方の管体に接続されるソケット本体と該ソケット本体にスライド可能に支持され該ソケット本体に対しスライドすることにより前記ソケットおよびプラグの連結を解除する可動スリーブとを有する管体継手のロック構造であって、
前記切替バルブは、内部の弁体が回動することにより、前記他方の管体と前記管体継手とを連通させ、かつ残圧抜き回路と前記流体回路との間を閉塞させる通常状態と、前記管体継手と前記残圧抜き回路とを連通させ、かつ前記他方の管体を閉塞させる残圧抜き状態とに切り替えられるもので、
前記弁体と一体的に連結された手動レバーの回動により切り替えが行われる前記切替バルブの前記手動レバーの回動に連動して前記可動スリーブに対し係脱し、前記切替バルブが前記通常状態にあるときに該可動スリーブに係合することにより該可動スリーブの前記ソケット本体に対するスライドを規制する一方、前記切替バルブが前記残圧抜き状態にあるときに前記可動スリーブに対する係合が解除されることにより該可動スリーブの前記ソケット本体に対するスライドを許容するロック部材を有しており、
該ロック部材は、前記手動レバーとは反対方向に延出する主板部と、該主板部の先端から前記切替バルブ側に突出して前記可動スリーブに対し係脱する突出板部とを有し平面視が略扇状で側面視が略Ｌ字状をなしていることを特徴とする管体継手のロック構造。
【請求項２】
前記突出板部の長さは、管体側の残圧を回動に要する時間で前記切替バルブにより残圧抜き回路側に完全に抜くことができる位置まで前記手動レバーを回転させなければ前記可動スリーブとの係合を解除できないように設定されていることを特徴とする請求項１記載の管体継手のロック構造。
【請求項３】
前記ロック部材は、前記手動レバーに固定されていることを特徴とする請求項１または２記載の管体継手のロック構造。
【発明の詳細な説明】
【０００１】
【発明の属する技術分野】
本発明は、管体同士を連結させる管体継手のロック構造に関する。
【０００２】
【従来の技術】
管体同士を連結させる管体継手としては、それぞれが管体に接続されるとともに互いに連結および連結解除可能に設けられたソケットおよびプラグを備え、ソケットが、管体に接続されるソケット本体と該ソケット本体にスライド可能に支持され該ソケット本体に対しスライドすることによりソケットおよびプラグの連結を解除する可動スリーブとを有するものが一般に用いられている。
【０００３】
このような管体継手が、メンテナンスや段取り替え等のために流体回路に設けられる場合がある。特に、この流体回路が高圧流体を流す場合又は、低圧流体を流す場合でも管体外部からの熱伝導にて圧力上昇がある場合には、管体同士の連結を解除する際に、流体回路から残圧を抜いておかなければ連結を解除したとたんに流体が溢れ出てしまうことになる。このため、流体回路の残圧抜き回路への接続状態および非接続状態を切り替える切替バルブを管体継手に付設し、切替バルブで流体回路を残圧抜き回路に連結させ残圧を抜いた状態で、管体継手の連結を解除することが必要になる。
【０００４】
【発明が解決しようとする課題】
しかしながら、従来の管体継手は、切替バルブで流体回路の残圧を抜かなくても管体同士の連結を解除可能であったため、切替バルブで流体回路の残圧を抜かずに管体同士の連結が解除され、流体が溢れ出てしまうことがあった。
【０００５】
したがって、本発明は、連結解除前に、切替バルブに必要な切り替えを確実に行わせることができる管体継手のロック構造の提供を目的とする。
【０００６】
【課題を解決するための手段】
上記目的を達成するために、本発明の請求項１記載の管体継手のロック構造は、流体回路（例えば実施の形態における流体循環回路１４）の一部を構成する一方の管体（例えば実施の形態における管体１７）に接続されるプラグ（例えば実施の形態におけるプラグ２４）と、該プラグに対し連結および連結解除可能に設けられるとともに前記流体回路の一部を構成する他方の管体（例えば実施の形態における管体１６）に切替バルブ（例えば実施の形態における切替バルブ１２）を介して接続されるソケット（例えば実施の形態におけるソケット２３）とを備え、前記ソケットが、前記切替バルブを介して前記他方の管体に接続されるソケット本体と該ソケット本体にスライド可能に支持され該ソケット本体に対しスライドすることにより前記ソケットおよびプラグの連結を解除する可動スリーブとを有する管体継手のロック構造であって、前記切替バルブは、内部の弁体（例えば実施の形態における弁体２０）が回動することにより、前記他方の管体と前記管体継手とを連通させ、かつ残圧抜き回路（例えば実施の形態における残圧抜き回路１５）と前記流体回路との間を閉塞させる通常状態と、前記管体継手と前記残圧抜き回路とを連通させ、かつ前記他方の管体を閉塞させる残圧抜き状態とに切り替えられるもので、前記弁体と一体的に連結された手動レバー（例えば実施の形態における手動レバー２１）の回動により切り替えが行われる前記切替バルブ（例えば実施の形態における切替バルブ１２）の前記手動レバーの回動に連動して前記可動スリーブに対し係脱し、前記切替バルブが前記通常状態にあるときに該可動スリーブに係合することにより該可動スリーブの前記ソケット本体に対するスライドを規制する一方、前記切替バルブが前記残圧抜き状態にあるときに前記可動スリーブに対する係合が解除されることにより該可動スリーブの前記ソケット本体に対するスライドを許容するロック部材（例えば実施の形態におけるロック部材３０）を有しており、該ロック部材は、前記手動レバーとは反対方向に延出する主板部（例えば実施の形態における主板部３１）と、該主板部の先端から前記切替バルブ側に突出して前記可動スリーブに対し係脱する突出板部（例えば実施の形態における突出板部３２）とを有し平面視が略扇状で側面視が略Ｌ字状をなしていることを特徴としている。
【０００７】
これにより、ロック部材が、切替バルブの手動レバーの回動に連動して可動スリーブに対し係脱し、可動スリーブに係合することによりこの可動スリーブのソケット本体に対するスライドを規制する一方、可動スリーブに対する係合が解除されることによりこの可動スリーブのソケット本体に対するスライドを許容するため、ロック部材は、切替バルブの手動レバーを所定方向に切り替えない状態では、可動スリーブのスライドを規制し、手動レバーを所定方向に切り替えた状態で、可動スリーブのスライドを許容することになる。
また、切替バルブが、手動レバーによって流体回路を残圧抜き回路に対し非接続状態（通常状態）とするとき、ロック部材が、可動スリーブに係合することによりこの可動スリーブのソケット本体に対するスライドを規制する一方、切替バルブが、手動レバーによって流体回路を残圧抜き回路に対し接続状態（残圧抜き状態）とするとき、ロック部材が、可動スリーブに対する係合が解除されることによりこの可動スリーブのソケット本体に対するスライドを許容するため、切替バルブによって流体回路が残圧抜き回路に接続状態とならない限り、管体同士の連結を解除できない。
【０００８】
本発明の請求項２記載の管体継手のロック構造は、請求項１記載のものに関して、前記突出板部の長さは、管体側の残圧を回動に要する時間で前記切替バルブにより残圧抜き回路側に完全に抜くことができる位置まで前記手動レバーを回転させなければ前記可動スリーブとの係合を解除できないように設定されていることを特徴としている。
本発明の請求項３記載の管体継手のロック構造は、請求項１または２記載のものに関して、前記ロック部材は、前記手動レバーに固定されていることを特徴としている。
【０００９】
このように、ロック部材は、手動レバーに固定されるものであるため、手動レバーの回動を利用して可動スリーブに係合および係合解除することになる。
【００１２】
【発明の実施の形態】
本発明の一実施形態の管体継手のロック構造を図面を参照して以下に説明する。
【００１３】
図中符号１１は、管体継手を示しており、符号１２は管体継手１１に付設される切替バルブ（管体）を示している。
【００１４】
まず、切替バルブ１２について説明する。
切替バルブ１２は、高圧の流体を流す流体循環回路１４と、この流体循環回路１４から残圧を抜くための残圧抜き回路１５との連結部分に配置されるものである。この切替バルブ１２には、流体循環回路１４の一部を構成する管体１６が連結されるとともに、流体循環回路１４の一部を構成する管体１７が管体１６に対し反対側に管体継手１１を介して連結されている。また、この切替バルブ１２には、これら管体１６，１７に対し直交する方向に残圧抜き回路１５の一部を構成する管体１８が連結されている。
【００１５】
そして、切替バルブ１２は、内部の弁体２０が回動することにより、図１および図２に示すように、流体循環回路１４の管体１６と管体継手１１とを連通させ、かつ残圧抜き回路１５の管体１８を閉塞させる通常状態（非接続状態）と、図４および図５に示すように、流体循環回路１４の管体継手１１と残圧抜き回路１５の管体１８とを連通させ、かつ流体循環回路１４の他方の管体１６を閉塞させる残圧抜き状態（接続状態）とに切り替えられる。なお、通常状態から残圧抜き状態まで弁体２０は９０°だけ回動する。
【００１６】
ここで、上記弁体２０には手動レバー２１が一体的に連結されており、この手動レバー２１の手動による回動で、弁体２０が通常状態と残圧抜き状態とに切り替えられる。ここで、弁体２０が通常状態にあるとき、図１〜図３に示すように、手動レバー２１は、流体循環回路１４の管体１６側においてこの管体１６に沿う状態となり、弁体２０が残圧抜き状態にあるとき、図４および図５に示すように、手動レバー２１は、残圧抜き回路１５の管体１８に対し反対側に向く状態となる。なお、当然のことながら、この手動レバー２１も弁体２０と同じく９０°だけ回動する。
【００１７】
管体継手１１は、いわゆるワンタッチ式の継手であり、互いに連結および連結解除可能に設けられた一対のソケット２３およびプラグ２４を有しており、ソケット２３は、管体である切替バルブ１２に連結され、プラグ２４は、流体循環回路１４の管体１７に連結される。
【００１８】
ソケット２３は、切替バルブ１２に連結されるソケット本体２６と、このソケット本体２６の外側にスライド可能に支持されソケット本体２６に対しスライドすることによりソケット２３およびプラグ２４同士の連結を解除する可動スリーブ２７と、可動スリーブ２７を付勢する図示せぬスプリングと、プラグ２４をロックする図示せぬロック部とを有している。
【００１９】
管体継手１１は、このソケット２３にプラグ２４が所定位置まで挿入されると、図１〜図３に示すように、図示せぬロック部がこのプラグ２４をロックし、ソケット２３とプラグ２４とを連結状態とする。このとき、可動スリーブ２７はスプリングの付勢力により最もプラグ２４側のロック位置に位置する。
【００２０】
また、この連結状態から、図４および図５に示すように、ロック位置にある可動スリーブ２７をソケット本体２６に対しスプリングの付勢力に抗してプラグ２４から離れる方向にスライドさせてロック解除位置に位置させると、図示せぬロック部がソケット２３に対するプラグ２４の固定を解除してこれらの連結を解除する。このように連結が解除された状態でプラグ２４をソケット２３から引き抜くことなる。
【００２１】
そして、本実施形態においては、切替バルブ１２の手動レバー２１に固定されることによりこの手動レバー２１の回動に連動して回動し、その結果、可動スリーブ２７に対し係脱するロック部材３０が設けられている。このロック部材３０は、手動レバー２１とは反対方向に延出する主板部３１と、この主板部３１の先端から切替バルブ１２側に突出する突出板部３２とを有しており、平面視が略扇状で側面視が略Ｌ字状をなしている。なお、このロック部材３０は、ステンレス鋼材等で形成される。
【００２２】
このロック部材３０は、図１〜図３に示すように、管体継手１１のソケット２３とプラグ２４とが連結状態にあり、しかも、手動レバー２１が弁体２０を通常状態とする角度位置にあるとき、ロック位置にある可動スリーブ２７のスライド側に突出板部３２が係合して可動スリーブ２７のソケット本体２６に対するスライドを規制する。他方、このロック部材３０は、図４および図５に示すように、手動レバー２１が弁体２０を残圧抜き状態とする角度位置にあるとき、突出板部３２を残圧抜き回路１５の管体１８側に位置させ可動スリーブ２７に対する係合を解除させて、可動スリーブ２７のソケット本体２６に対するスライドを許容する。
【００２３】
以上により、管体継手１１のソケット２３とプラグ２４とを連結させ、かつ切替バルブ１２が弁体２０を通常状態とする状態、すなわち、残圧抜き回路１５が閉塞され管体１６，１７同士が連通される状態においては、管体１７側に位置するロック部材３０が、ロック位置にある可動スリーブ２７のスライド側に突出板部３２が係合して可動スリーブ２７のソケット本体２６に対するスライドを規制する。
【００２４】
そして、この状態で、管体継手１１のソケット２３とプラグ２４との連結を解除しようとしても、上記状態のままではロック部材３０が可動スリーブ２７のソケット本体２６に対するスライドを規制しているため、可動スリーブ２７をスライドさせることはできず、ソケット２３とプラグ２４との連結を解除することはできない。
【００２５】
このため、メンテナンスや段取り替え等の際には、手動レバー２１を回動させることにより切替バルブ１２が弁体２０を残圧抜き状態とする状態、すなわち、管体１６を閉塞させ管体１７と残圧抜き回路１５の管体１８とを連通させる状態とする。すると、この状態では、残圧抜き回路１５の管体１８側にロック部材３０が位置することになり、可動スリーブ２７のスライド側から突出板部３２を逃がしているため、可動スリーブ２７のソケット本体２６に対するスライドを許容する。よって、可動スリーブ２７をソケット本体２６に対しスライドさせて、管体１７に連結されたプラグ２４をソケット２３から取り外すことができる。このとき、管体１７側の残圧は必ず切替バルブ１２により残圧抜き回路１５側に抜かれているため、管体１７側から流体が溢れ出したりすることがない。なお、突出板部の長さは、管体１７側の残圧を回動に要する時間で残圧抜き回路１５側に完全に抜くことができる位置（具体的には５０°以上）まで手動レバー２１を回転させなければ係合を解除できないように設定されている。
【００２６】
以上に述べた本実施形態の管体継手のロック構造によれば、ロック部材３０が、切替バルブ１２の手動レバー２１の回動に連動して可動スリーブ２７に対し係脱し、可動スリーブ２７に係合することによりこの可動スリーブ２７のソケット本体２６に対するスライドを規制する一方、可動スリーブ２７に対する係合が解除されることによりこの可動スリーブ２７のソケット本体２６に対するスライドを許容するため、ロック部材３０は、切替バルブ１２の手動レバー２１を所定方向に切り替えない状態では、可動スリーブ２７のスライドを規制し、手動レバー２１を所定方向に切り替えた状態で、可動スリーブ２７のスライドを許容することになる。したがって、連結解除前に、切替バルブ１２に必要な切り替えを確実に行わせることができる。
【００２７】
しかも、ロック部材３０は、手動レバー２１に固定されるものであるため、手動レバー２１の回動を利用して可動スリーブ２７に係合および係合解除することになる。したがって、構造を簡素にできる。
【００２８】
加えて、切替バルブ１２が、手動レバー２１によって流体循環回路１４を残圧抜き回路１５に対し非接続状態とするとき、ロック部材３０が、可動スリーブ２７に係合することによりこの可動スリーブ２７のソケット本体２６に対するスライドを規制する一方、切替バルブ１２が、手動レバー２１によって流体循環回路１４を残圧抜き回路１５に対し接続状態とするとき、ロック部材３０が、可動スリーブ２７に対する係合が解除されることによりこの可動スリーブ２７のソケット本体２６に対するスライドを許容するため、切替バルブ１２によって流体循環回路１４が残圧抜き回路１５に接続状態とならない限り、管体１６，１７同士の連結を解除できない。したがって、切替バルブ１２で流体循環回路１４の残圧を抜かずに管体１６，１７同士の連結を解除してしまうことを防止でき、流体循環回路１４から流体が溢れ出てしまうことを防止できる。
【００２９】
【発明の効果】
以上詳述したように、本発明の請求項１記載の管体継手のロック構造によれば、ロック部材が、切替バルブの手動レバーの回動に連動して可動スリーブに対し係脱し、可動スリーブに係合することによりこの可動スリーブのソケット本体に対するスライドを規制する一方、可動スリーブに対する係合が解除されることによりこの可動スリーブのソケット本体に対するスライドを許容するため、ロック部材は、切替バルブの手動レバーを所定方向に切り替えない状態では、可動スリーブのスライドを規制し、手動レバーを所定方向に切り替えた状態で、可動スリーブのスライドを許容することになる。したがって、連結解除前に、切替バルブに必要な切り替えを確実に行わせることができる。
切替バルブが、手動レバーによって流体回路を残圧抜き回路に対し非接続状態（通常状態）とするとき、ロック部材が、可動スリーブに係合することによりこの可動スリーブのソケット本体に対するスライドを規制する一方、切替バルブが、手動レバーによって流体回路を残圧抜き回路に対し接続状態（残圧抜き状態）とするとき、ロック部材が、可動スリーブに対する係合が解除されることによりこの可動スリーブのソケット本体に対するスライドを許容するため、切替バルブによって回路が残圧抜き回路に接続状態とならない限り、管体同士の連結を解除できない。したがって、切替バルブで流体回路の残圧を抜かずに管体同士の連結を解除してしまうことを防止でき、流体回路から流体が溢れ出てしまうことを防止できる。
【００３０】
本発明の請求項３記載の管体継手のロック構造によれば、ロック部材は、手動レバーに固定されるものであるため、手動レバーの回動を利用して可動スリーブに係合および係合解除することになる。したがって、構造を簡素にできる。
【図面の簡単な説明】
【図１】  本発明の一実施形態の管体継手のロック構造を示す平面図であって、ロック部材が可動スリーブに係合した状態を示すものである。
【図２】  本発明の一実施形態の管体継手のロック構造を示す底面図であって、ロック部材が可動スリーブに係合した状態を示すものである。
【図３】  本発明の一実施形態の管体継手のロック構造を示す側面図であって、ロック部材が可動スリーブに係合した状態を示すものである。
【図４】  本発明の一実施形態の管体継手のロック構造を示す平面図であって、ロック部材が可動スリーブに対し係合解除した状態を示すものである。
【図５】  本発明の一実施形態の管体継手のロック構造を示す底面図であって、ロック部材が可動スリーブに対し係合解除した状態を示すものである。
【符号の説明】
１２  切替バルブ（管体）
１４  流体循環回路（流体回路）
１５  残圧抜き回路
１７  管体
２１  手動レバー
２３  ソケット
２４  プラグ
２６  ソケット本体
２７  可動スリーブ
３０  ロック部材
【図１】
0003746709.tif 000002
【図２】
0003746709.tif 000003
【図３】
0003746709.tif 000004
【図４】
0003746709.tif 000005
【図５】
0003746709.tif 000006